(57)【要約】【課題】音声方式に依存せずに、編集時にどこにＣＭがあるかを容易に検出する。【解決手段】放送波記録再生機は、動画データを再生中にユーザーがＣＭスキップキーを操作した時点の時間情報をＣＭ開始ポイントとして記録部に登録する。ＣＭスキップキーによるスキップキー用タイムサーチが終了した時点の時間情報、または、所定の時間内にユーザーがＣＭスキップキーを操作した場合には最後のスキップキー用タイムサーチが終了した時点の時間情報をＣＭ終了ポイントとして記憶部に登録する。所定の時間内にユーザーがＣＭバックキーを操作した場合には、最後のバックキー用タイムサーチが終了した時点の時間情報でＣＭ終了ポイントを更新する。動画データの編集時に、記憶部に記憶された動画データのＣＭ開始ポイントとＣＭ終了ポイントを一覧表示するＣＭカット編集画面を作成し、出力装置に一覧表示する。【選択図】        図７
2007257716.tif 000002
【特許請求の範囲】
【請求項１】
動画データを再生中にユーザーがＣＭスキップキーを操作した時点の時間情報をＣＭ開始ポイントとして記録部に登録するＣＭ開始ポイント登録手段と、
上記ＣＭスキップキーによるスキップキー用タイムサーチが終了した時点の上記時間情報をＣＭ終了ポイントとして上記記憶部に登録するＣＭ終了ポイント登録手段と、
所定の時間内に上記ユーザーがＣＭバックキーおよび／または上記ＣＭスキップキーを操作した場合には、最後のバックキー用タイムサーチまたは上記スキップキー用タイムサーチが終了した時点の上記時間情報で上記ＣＭ終了ポイントを更新するＣＭ終了ポイント更新手段と、
上記動画データの編集時に、上記記憶部に記憶された上記動画データの上記ＣＭ開始ポイントと上記ＣＭ終了ポイントを一覧表示するＣＭカット編集画面を作成し、出力装置に一覧表示するＣＭカット編集画面表示手段と、
を備えたことを特徴とする放送波記録再生機。
【請求項２】
上記ＣＭ終了ポイント更新手段において上記ユーザーが上記ＣＭバックキーを操作した場合には、上記バックキー用タイムサーチの合計時間を、上記開始ポイントから減算した上記時間情報をバックＣＭ開始ポイントとして上記記録部に登録するバックＣＭ開始ポイント登録手段、
をさらに備え、
上記ＣＭカット編集画面表示手段は、上記動画データの上記バックＣＭ開始ポイントをさらに上記ＣＭカット編集画面上に表示すること、
を特徴とする請求項１に記載の放送波記録再生機。
【請求項３】
動画データを再生中にユーザーがＣＭスキップキーを操作した時点の時間情報をＣＭ開始ポイントとして記録部に登録するＣＭ開始ポイント登録ステップと、
上記ＣＭスキップキーによるスキップキー用タイムサーチが終了した時点の上記時間情報をＣＭ終了ポイントとして上記記憶部に登録するＣＭ終了ポイント登録ステップと、
所定の時間内に上記ユーザーがＣＭバックキーおよび／または上記ＣＭスキップキーを操作した場合には、最後のバックキー用タイムサーチまたは上記スキップキー用タイムサーチが終了した時点の上記時間情報で上記ＣＭ終了ポイントを更新するＣＭ終了ポイント更新ステップと、
上記動画データの編集時に、上記記憶部に記憶された上記動画データの上記ＣＭ開始ポイントと上記ＣＭ終了ポイントを一覧表示するＣＭカット編集画面を作成し、出力装置に一覧表示するＣＭカット編集画面表示ステップと、
を備えたことを特徴とする放送波記録再生機によるＣＭカット編集方法。
【請求項４】
上記ＣＭ終了ポイント更新ステップにおいて上記ユーザーが上記ＣＭバックキーを操作した場合には、上記バックキー用タイムサーチの合計時間を、上記開始ポイントから減算した上記時間情報をバックＣＭ開始ポイントとして上記記録部に登録するバックＣＭ開始ポイント登録ステップ、
をさらに備え、
上記ＣＭカット編集画面表示ステップは、上記動画データの上記バックＣＭ開始ポイントをさらに上記ＣＭカット編集画面上に表示すること、
を特徴とする請求項３に記載の放送波記録再生機によるＣＭカット編集方法。
【発明の詳細な説明】
【技術分野】
【０００１】
本発明は、放送波記録再生機およびそのＣＭカット編集方法に関するものである。
【背景技術】
【０００２】
従来、録画された番組を視聴する際にＣＭ部分を削除する方法が存在する。例えば、音声方式の切り替わりを認識し、識別信号付与手段で音声方式の切り替わり位置に識別信号を関連付けて放送情報とともにＨＤに記録する方法がある（特許文献１参照）。
【０００３】
ここで、特許文献１は、本編の音声方式がモノラルもしくは多重に対して、ＣＭがステレオに切り替わった箇所をＣＭと認識して信号を付加し、ダビング時に自動的にこれを削除するというものである。
【０００４】
【特許文献１】特開２００５−３０２１２８号公報
【発明の開示】
【発明が解決しようとする課題】
【０００５】
しかしながら、上述した特許文献１に記載のＣＭ削除方法においては、ＣＭと本編で音声方式（ステレオ／モノラル等）が同じ場合には削除できないという問題が生じる。
【０００６】
特に、デジタル放送では、ＣＭと本編で音声方式（ステレオ／モノラル等）の違いをなくす方向に動いている。そのため特許文献１の方法を使用した場合、ＣＭを認識できない場合が頻発してくる。本発明が解決しようとする課題には上述した問題が一例として挙げられる。
【０００７】
本発明では、上記問題に鑑みてなされたものであって、音声方式に依存せずに、再生時のユーザーのキー操作により、編集時にどこにＣＭがあるかを容易に検出することを可能とする放送波記録再生機およびそのＣＭカット編集方法を提供することを目的とするものである。
【課題を解決するための手段】
【０００８】
このような目的を達成するため、請求項１に記載の放送波記録再生機は、動画データを再生中にユーザーがＣＭスキップキーを操作した時点の時間情報をＣＭ開始ポイントとして記録部に登録するＣＭ開始ポイント登録手段と、上記ＣＭスキップキーによるスキップキー用タイムサーチが終了した時点の上記時間情報をＣＭ終了ポイントとして上記記憶部に登録するＣＭ終了ポイント登録手段と、所定の時間内に上記ユーザーがＣＭバックキーおよび／または上記ＣＭスキップキーを操作した場合には、最後のバックキー用タイムサーチまたは上記スキップキー用タイムサーチが終了した時点の上記時間情報で上記ＣＭ終了ポイントを更新するＣＭ終了ポイント更新手段と、上記動画データの編集時に、上記記憶部に記憶された上記動画データの上記ＣＭ開始ポイントと上記ＣＭ終了ポイントを一覧表示するＣＭカット編集画面を作成し、出力装置に一覧表示するＣＭカット編集画面表示手段と、を備えたことを特徴とする。
【０００９】
また、請求項３に記載の放送波記録再生機によるＣＭカット編集方法は、動画データを再生中にユーザーがＣＭスキップキーを操作した時点の時間情報をＣＭ開始ポイントとして記録部に登録するＣＭ開始ポイント登録ステップと、上記ＣＭスキップキーによるスキップキー用タイムサーチが終了した時点の上記時間情報をＣＭ終了ポイントとして上記記憶部に登録するＣＭ終了ポイント登録ステップと、所定の時間内に上記ユーザーがＣＭバックキーおよび／または上記ＣＭスキップキーを操作した場合には、最後のバックキー用タイムサーチまたは上記スキップキー用タイムサーチが終了した時点の上記時間情報で上記ＣＭ終了ポイントを更新するＣＭ終了ポイント更新ステップと、上記動画データの編集時に、上記記憶部に記憶された上記動画データの上記ＣＭ開始ポイントと上記ＣＭ終了ポイントを一覧表示するＣＭカット編集画面を作成し、出力装置に一覧表示するＣＭカット編集画面表示ステップと、を備えたことを特徴とする。
【発明を実施するための最良の形態】
【００１０】
以下に、本発明にかかる放送波記録再生機およびそのＣＭカット編集方法の実施の形態を図面に基づいて詳細に説明する。なお、この実施の形態によりこの発明が限定されるものではない。
【００１１】
［本放送波記録再生機の概要］
以下、本放送波記録再生機の概要について説明し、その後、本放送波記録再生機の構成および処理等について詳細に説明する。
【００１２】
この放送波記録再生機は、概略的に、以下の基本的特徴を有する。すなわち、ユーザーがＤＶＤレコーダなどの放送波記録再生機を使う場合、以下のような操作が一般的に考えられる。
【００１３】
１）まず、番組の動画データをＨＤＤに記録する。
【００１４】
２）そして、動画データを再生して視聴する。
【００１５】
３）最後に、視聴した動画データのうち保存したいものを編集してディスク等にダビングする。
【００１６】
ここで、２）で再生をする場合、ＣＭスキップキーおよびＣＭバックキーのリモコン操作等により、ＣＭをスキップして視聴することが、通常、考えられる。
【００１７】
そこで、放送波記録再生機は、ユーザーがＤＶＤレコーダ等をこのユーザーが通常行うであろうキー操作に対して、ＣＭスキップキーにて読み飛ばした位置や、ＣＭバックキーにて戻した位置を覚えておき、３）の編集用の部分削除候補として記憶部に登録する。
【００１８】
そして、３）の編集を行う際、通常では、早送りをしながら、ＣＭ位置を探す必要があるが、本放送波記録再生機を用いれば、記憶部に記憶させたＣＭ開始ポイントおよびＣＭ終了ポイントを一覧表示することにより編集ポイントを容易に探すことが可能となる。
【００１９】
すなわち、本放送波記録再生機は、動画データを再生中にユーザーがＣＭスキップキーを操作した時点の時間情報をＣＭ開始ポイントとして記録部に登録する。
【００２０】
そして、放送波記録再生機は、ＣＭスキップキーによるスキップキー用タイムサーチが終了した時点の時間情報をＣＭ終了ポイントとして記憶部に登録する。
【００２１】
そして、放送波記録再生機は、所定の時間内にユーザーがＣＭバックキーおよび／またはＣＭスキップキーを操作した場合には、最後のバックキー用タイムサーチまたはスキップキー用タイムサーチが終了した時点の時間情報でＣＭ終了ポイントを更新する。
【００２２】
そして、放送波記録再生機は、動画データの編集時に、記憶部に記憶された動画データのＣＭ開始ポイントとＣＭ終了ポイントを一覧表示するＣＭカット編集画面を作成し、出力装置に一覧表示する。
【００２３】
このように、本放送波記録再生機は、ＣＭポイントの検出を再生時のユーザーのキー操作により行うため、どこにＣＭがあるかを容易に検出することが可能であり、ユーザーが編集をしようとした場合に、早送り等でどこにＣＭがあるかを探す手間を省くことが可能である。
【００２４】
また、従来技術では、記録時に音声方式に基づいてＣＭ位置を判断するのに対し、本放送波記録再生機では、再生時のユーザーのキー操作により、ＣＭ位置を判断するため、ＣＭで音声方式が変わらないデジタル放送を録画する場合や、アナログ放送でＣＭ中の音声方式が切り替わらない場合であっても、ＣＭの開始と終了のポイントを判別することが可能となる。
【００２５】
また、ユーザーのキー操作の位置を単純に覚えるだけで容易に実現可能であり、また、このＣＭ開始と終了ポイントを一覧表示する画面を作ることで、どのあたりにＣＭが入っているかを一目で認識することが可能となり、編集操作を簡略化できる。
【００２６】
また、放送波記録再生機は、さらに、ユーザーがＣＭバックキーを操作した場合には、バックキー用タイムサーチの合計時間を、開始ポイントから減算した時間情報をバックＣＭ開始ポイントとして記録部に登録し、動画データのバックＣＭ開始ポイントをさらにＣＭカット編集画面上に表示してもよい。
【００２７】
これにより、ユーザーがＣＭバックキーにより、Ｒｅｖｅｒｓｅ方向へタイムサーチをかけた場合にＲｅｖｅｒｓｅ方向へタイムサーチをした時間だけ考慮に入れ、ＣＭ開始ポイントを換算することで、ＣＭ開始ポイントの精度をより高くすることができる。
【００２８】
［放送波記録再生機の構成］
以下、このような基本的特徴を具現化するための、本放送波記録再生機の構成について説明する。
【００２９】
図１は、本発明が適用される放送波記録再生機の構成の一例を示すブロック図であり、該構成のうち本発明に関係する部分のみを概念的に示している。図１において放送波記録再生機は、概略的に、放送波の受信制御を行う放送波受信部１と、各部を制御するＣＰＵ２と、リモコンから送信されたリモコンコードの受信制御を行うリモコン受信部３と、デコード処理の制御を行うデコーダ制御部４と、出力装置に対するビデオ／オーディオ信号の出力制御を行う出力制御部５と、ＧＵＩ（Ｇｒａｐｈｉｃｓ  Ｕｓｅｒ  Ｉｎｔｅｒｆａｃｅ）の制御を行うＧＵＩ制御部６と、タイマー処理の制御を行うタイマー制御部７と、記録および再生の制御を行う記録・再生制御部８と、各処理で使用するメモリ９と、ストリームおよび管理情報を保存するＨＤＤ１０と、ディスクドライブ１１とを備えて構成されており、これら各部は任意の通信路を介して通信可能に接続されている。
【００３０】
このように構成された放送波記録再生機は、放送波を放送波受信部１の機能により受信し、メモリ９を使用しながら、ＣＰＵ２が記録・再生制御部８を制御しながら、記録媒体（ＨＤＤ１０または、ディスクドライブ１１）に記録する。
【００３１】
［放送波記録再生機の処理］
次に、このように構成された本実施の形態における本放送波記録再生機の処理の一例について、以下に図２〜図１１を参照して詳細に説明する。
【００３２】
［放送波記録再生機によるＣＭ検出処理］
次に、放送波記録再生機によるＣＭ検出処理の詳細について図２〜図７を参照して説明する。
【００３３】
まず、放送波記録再生機によるＣＭ開始ポイントとＣＭ終了ポイントの記録の概念について、図２〜図６を参照して説明する。
【００３４】
図２は、ＣＭ開始ポイントの概念を示す図であり、図３は、ＣＭ終了ポイントの概念を示す図であり、図４は、タイムサーチ終了がＣＭ途中だった場合の概念を示す図であり、図５は、タイムサーチ終了がＣＭを超えていた場合の概念を示す図である。
【００３５】
図２に示すように、ユーザーの操作するリモコン上でＣＭスキップキーが押された場合、放送波記録再生機のＣＰＵ２は、ＣＭステップキー用に設定されている時間だけ、Ｆｏｒｗａｒｄ方向にタイムサーチ（スキップキー用タイムサーチ）し、読み飛ばす動作を行うように記録・再生制御部８を制御する。
【００３６】
ここで、放送波記録再生機のＣＰＵ２は、ＣＭスキップキーが押された地点の時間情報をＣＭ開始ポイントとして管理情報の１つとしてメモリ９等の記憶部に記憶する（図２参照）。
【００３７】
また、図３に示すように、ユーザーの操作するリモコン上でＣＭバックキーが押された場合は、放送波記録再生機のＣＰＵ２は、ＣＭバックキー用に設定されている時間だけ、Ｒｅｖｅｒｓｅ方向にタイムサーチ（バックキー用タイムサーチ）し、手前から再生を行うように記録・再生制御部８を制御する。
【００３８】
また、放送波記録再生機のＣＰＵ２は、最後のタイムサーチ終了地点、つまり、通常再生に戻った時点の時間情報でＣＭ終了ポイントを更新し、管理情報の１つとしてメモリ９等に記憶する（図３参照）。
【００３９】
また、図４および図５に示すように、ＣＭスキップキーにより、ある時間分をタイムサーチ（スキップキー用タイムサーチ）により読み飛ばした場合、ＣＭの途中であったり、ＣＭを過ぎていたりといった場合があるが、これは、通常のユーザー操作から考えた場合、さらに、ＣＭスキップキーにより、読み飛ばす（図４）か、ＣＭバックキーにより、手前に戻すといったことが考えられる（図５）。
【００４０】
つまり、ＣＭ終了ポイントとして決められる位置は、ユーザーによる次なるキーが押されたか否かをある一定時間で見極めてから決定することとなる。
【００４１】
そのため、放送波記録再生機は、所定の時間内にユーザーがＣＭバックキーおよび／またはＣＭスキップキーを操作した場合には、最後のバックキー用タイムサーチまたはスキップキー用タイムサーチが終了した時点の時間情報でＣＭ終了ポイントを更新する。
【００４２】
すなわち、放送波記録再生機は、ＣＭスキップキーによるスキップキー用タイムサーチが終了した時点の時間情報をＣＭ終了ポイントとして登録するが、所定の時間内にユーザーがＣＭスキップキーを再度、またはさらに複数回操作した場合には、最後のスキップキー用タイムサーチが終了した時点の時間情報でＣＭ終了ポイントを更新する。
【００４３】
また、放送波記録再生機は、所定の時間内にユーザーがＣＭバックキーを一度、または、複数回操作した場合には、最後（一度の場合も含む）のバックキー用タイムサーチが終了した時点の時間情報でＣＭ終了ポイントを更新する。
【００４４】
ここで、図６は、放送波記録再生機に記憶されるＣＭ開始ポイントおよびＣＭ終了ポイント情報の概念を示す図である。
【００４５】
図６に示すように、記憶する開始ポイントおよび終了ポイントは、時間情報としてその表示されている動画データが持っているＰＴＳ（Ｐｒｅｓｅｎｔａｔｉｏｎ  Ｔｉｍｅ  Ｓｔａｍｐ）を使用してもよく、または、タイトル先頭からの時間情報（時分秒フレーム等）を使用することも可能である。
【００４６】
次に、放送波記録再生機によるＣＭ検出処理の詳細について図７を参照して説明する。ここで、図７は、本実施形態における放送波記録再生機によるＣＭ検出処理の一例を示すフローチャートである。
【００４７】
まず、再生開始時、リモコン受信部３が受信したリモコンコード情報を元に、ＣＰＵ２が、記録媒体（ＨＤＤ１０またはディスクドライブ１１）に記録した素材を選択し、メモリ９を使用しながら、記録・再生制御部８を制御して、タイトル終了か確認（ステップＳ１０１）しながら再生を行う（ステップＳ１００）。
【００４８】
ここで、放送波記録再生機は、再生を行う場合、記録媒体から、その再生するタイトルの動画データを一旦メモリ９に取り込み、デコーダ制御部４に流し込むことにより、デコードし、映像、音声を出力制御部５より出力装置に出力する。
【００４９】
そして、再生中にＣＭスキップキーが押された場合、リモコン受信部３より、そのリモコンコード情報を受信し（ステップＳ１０２）、ＣＰＵ２は、そのときに表示されている時間情報をデコーダ制御部４より取得し、ＣＭ開始ポイントとして管理情報に登録し、記録媒体（ＨＤＤ１０、または、ディスクドライブ１１）に書き込む（ステップＳ１０３）。またこのＣＭ開始ポイントの管理情報は、一旦メモリ９に格納し、再生終了時に記録媒体（ＨＤＤ１０、または、ディスクドライブ１１）に書き込んでも良い。
【００５０】
そして、記録・再生制御部８が例えばリモコン受信部３より取得した時間情報分、ＣＭスキップキー用タイムサーチ（ステップＳ１０４）を実行し、ＣＰＵ２はタイムサーチ終了位置をＣＭ終了ポイント候補としてメモリ９上の管理情報に登録する（ステップＳ１０５）。
【００５１】
次に、ＣＭスキップキーまたはＣＭバックキーが押されたかどうかを判断するために、タイマー制御部７がタイマーを設定する（例えばタイムアウト時間を５秒とする。）（ステップＳ１０６）。
【００５２】
そして、タイマー制御部７は、ＣＭスキップキーまたはＣＭバックキーが押されたかどうかのタイムアウトチェックを行う（ステップＳ１０７）。
【００５３】
タイムアウト前にＣＭバックキーまたはＣＭスキップキーが押された場合（ステップＳ１０９）、リモコン受信部３がリモコンコード情報を取得し、記録・再生制御部８がＣＭバックキー用のタイムサーチまたはＣＭスキップキー用のタイムサーチ（ステップＳ１１０）を行い、ＣＰＵ２がタイムサーチ終了位置をＣＭ終了ポイント候補として、メモリ９上の管理情報を更新する（ステップＳ１１１）。
【００５４】
さらに、タイマー制御部７は、タイムアウト設定の再設定を行う（ステップＳ１１２）。
【００５５】
タイマー制御部７でタイムアウトと判断した場合、ＣＰＵ２は、ＣＭ終了ポイント候補をＣＭ終了ポイントとして、記録媒体（ＨＤＤ１０または、ディスクドライブ１１）に管理情報として登録する（ステップＳ１１３）。
【００５６】
また、記録・再生制御部８でタイトル終了と判断した場合は、再生終了とする（ステップＳ１０８、ステップＳ１１４）。
【００５７】
これにて、放送波記録再生機によるＣＭ検出処理が終了する。
【００５８】
［ＣＭカット編集処理］
次に、ＣＭカット編集処理の詳細について図８を参照して説明する。図８は、本実施形態における放送波記録再生機のＣＭカット編集画面の一例を示す図である。
【００５９】
図８に示すように、放送波記録再生機は、ＣＰＵ２の処理により、上述したＣＭ検出処理にて特定されたＣＭの開始ポイントと終了ポイントを一覧表示するＣＭカット編集画面を作成し、ＧＵＩ制御部６により、出力装置に一覧表示することで、ＣＭの位置と個数を視覚的にユーザーに伝えることができる。
【００６０】
また、各ポイントを決定することで自動的に次のＣＭポイント付近にタイムサーチをかけ、ＣＭカット編集の手間を削減できる。
【００６１】
また、ＣＭカットの精度にこだわらなければ、この編集処理を行わなくても全てをそのまま削除することも可能である。
【００６２】
これにて、ＣＭカット編集処理が終了する。
【００６３】
［放送波記録再生機によるＣＭバックキーを考慮したＣＭ検出処理］
次に、放送波記録再生機によるＣＭバックキーを考慮したＣＭ検出処理の詳細について図９および図１０を参照して説明する。
【００６４】
本実施形態においては、さらに、ＣＭスキップキーを押すのが数秒遅れた場合の発展型について示す。図９は、ＣＭバックキーの時間分ＣＭ開始ポイントをずらした場合の開始ポイントの設定の一例を示す概念図である。
【００６５】
一般的にＣＭは３０秒または１５秒とある程度決まった時間に特定されており、数秒（例えば、５秒）おくれてＣＭスキップキーを押した場合、ＣＭ終了ポイントも本編に、この数秒が取り込まれる可能性が高いと考えられる。このとき、ユーザーは、ＣＭバックキーにより、Ｒｅｖｅｒｓｅ方向へＣＭバックキー用タイムサーチをかけることが予想される。
【００６６】
図９に示すように、このＲｅｖｅｒｓｅ方向へＣＭバックキー用タイムサーチをした合計時間を考慮に入れ、ＣＭ開始ポイントを換算、すなわちＣＭバックキー用タイムサーチの合計時間を減算することで、ＣＭ開始ポイントをより精度を増すことができる。
【００６７】
図１０は、本実施形態における本放送波記録再生機の放送波記録再生機によるＣＭバックキーを考慮したＣＭ検出処理の一例を示すフローチャートである。
【００６８】
まず、再生開始時、リモコン受信部３が受信したリモコンコード情報を元に、ＣＰＵ２が、記録媒体（ＨＤＤ１０またはディスクドライブ１１）に記録した素材を選択し、メモリ９を使用しながら、記録・再生制御部８を制御して、タイトル終了か確認（ステップＳ２０１）しながら再生を行う（ステップＳ２００）。
【００６９】
ここで、放送波記録再生機は、再生を行う場合、記録媒体から、その再生するタイトルの動画データを一旦メモリ９に取り込み、デコーダ制御部４に流し込むことにより、デコードし、映像、音声を出力制御部５より出力装置に出力する。
【００７０】
そして、再生中にＣＭスキップキーが押された場合、リモコン受信部３より、そのリモコンコード情報を受信し（ステップＳ２０２）、ＣＰＵ２は、そのときに表示されている時間情報をデコーダ制御部４より取得し、バックＣＭ開始ポイントおよびスキップＣＭ開始ポイントとして管理情報に登録し、記録媒体（ＨＤＤ１０、または、ディスクドライブ１１）に書き込む（ステップＳ２０３）。またこのＣＭ開始ポイントの管理情報は、一旦メモリ９に格納し、再生終了時に記録媒体（ＨＤＤ１０、または、ディスクドライブ１１）に書き込んでも良い。
【００７１】
そして、記録・再生制御部８が例えばリモコン受信部３より取得した時間情報分、タイムサーチ（ステップＳ２０４）を実行し、ＣＰＵ２はタイムサーチ終了位置をＣＭ終了ポイント候補としてメモリ９上の管理情報に登録する（ステップＳ２０５）。
【００７２】
次に、ＣＭスキップキーまたはＣＭバックキーが押されたかどうかを判断するために、タイマー制御部７がタイマーを設定する（例えばタイムアウト時間を５秒とする。）（ステップＳ２０６）。
【００７３】
そして、タイマー制御部７は、ＣＭスキップキーまたはＣＭバックキーが押されたかどうかのタイムアウトチェックを行う（ステップＳ２０７）。
【００７４】
タイムアウト前にＣＭバックキーが押された場合（ステップＳ２０９）、リモコン受信部３がリモコンコード情報を取得し、記録・再生制御部８がＣＭバックキー用タイムサーチを行い、ＣＰＵ２がタイムサーチ終了位置をＣＭ終了ポイント候補として、メモリ９上の管理情報を更新する。また、ＣＰＵ２は、ＣＭバックキー用タイムサーチ分の時間をバックＣＭ開始ポイント候補から減算し、バックＣＭ開始ポイント候補としてメモリ９上の管理情報を更新する（ステップＳ２１０）。
【００７５】
一方、タイムアウト前にＣＭスキップキーが押された場合（ステップＳ２１１）、リモコン受信部３がリモコンコード情報を取得し、記録・再生制御部８がＣＭスキップキー用タイムサーチ（ステップＳ２１２）を行い、ＣＰＵ２がタイムサーチ終了位置をＣＭ終了ポイント候補として、メモリ９上の管理情報を更新する（ステップＳ２１３）。
【００７６】
さらに、タイマー制御部７は、タイムアウト設定の再設定を行う（ステップＳ２１４）。
【００７７】
タイマー制御部７でタイムアウトと判断した場合、ＣＰＵ２は、ＣＭ終了ポイント候補をＣＭ終了ポイントとして、記録媒体（ＨＤＤ１０または、ディスクドライブ１１）に管理情報として登録する（ステップＳ２１５）。
【００７８】
また、記録・再生制御部８でタイトル終了と判断した場合は、再生終了とする（ステップＳ２０８、ステップＳ２１６）。
【００７９】
これにて、放送波記録再生機によるＣＭバックキーを考慮したＣＭ検出処理が終了する。
【００８０】
［ＣＭバックキーを考慮したＣＭ編集処理］
次に、ＣＭバックキーを考慮したＣＭ編集処理の詳細について図１１を参照して説明する。図１１は、本実施形態における放送波記録再生機のＣＭバックキーを考慮したＣＭ編集画面の一例を示す図である。
【００８１】
この場合、必ずしも、ＣＭバックキーがＣＭスキップキーによるＣＭ開始位置の誤差とは限らないため、ＣＭカット編集画面も図１１に示すように候補としてＣＭスキップキーによる開始ポイント位置と、ＣＭバックキーを換算したバックＣＭ開始ポイントの２つの開始ポイントを示す画面を考える。
【００８２】
図１１に示すように、放送波記録再生機は、ＣＰＵ２の処理により、上述したＣＭ検出処理にて特定されたＣＭの開始ポイントとＣＭバックキーを換算したバックＣＭ開始ポイントと終了ポイントを一覧表示するＣＭカット編集画面を作成し、ＧＵＩ制御部６により、出力装置に一覧表示することで、ＣＭの位置と個数を視覚的にユーザーに伝えることができる。
【００８３】
なお、図１１に示すように、ＣＭバックキーにより、ＣＭ開始ポイントを換算したバックＣＭ開始ポイントとスキップＣＭ開始ポイントが異なる場合、そのＣＭ開始ポイントが編集ポイントに選択されたとき、ポップアップ画面でスキップＣＭ開始ポイントにするかバックＣＭ開始ポイントにするかを選択可能にしてもよい。
【００８４】
また、ここで特殊再生等（コマ送り等）により、正確にフレームを設定することも可能とする。
【００８５】
また、バックＣＭ開始ポイントとスキップＣＭ開始ポイントの表示の際に、ポップアップ画面上の標識（例えば、図１１の例においては、バックＣＭ開始ポイントが下向き矢印、スキップＣＭ開始ポイントが上向き矢印で表示されている）、色彩（例えば、図１１の例においては、バックＣＭ開始ポイントが色つき、スキップＣＭ開始ポイントが白色で表示されている）などにより、編集時の対応関係を明確化してもよい。
【００８６】
これにて、ＣＭバックキーを考慮したＣＭ編集処理が終了する。
【００８７】
［他の実施の形態］
さて、これまで本発明の実施の形態について説明したが、本発明は、上述した実施の形態以外にも、上記特許請求の範囲に記載した技術的思想の範囲内において種々の異なる実施の形態にて実施されてよいものである。
【００８８】
特に、本実施の形態においては、本発明を、ユーザーがリモコンを用いてＣＭスキップキーおよびＣＭバックキーを操作した場合に適用した例について説明するが、この場合に限られず、放送波記録再生機の他の入力手段（キーボード、本体ボタン、音声入力装置など）を用いて操作をする場合において、同様に適用することができる。
【００８９】
また、実施形態において説明した各処理のうち、自動的に行なわれるものとして説明した処理の全部または一部を手動的に行うこともでき、あるいは、手動的に行なわれるものとして説明した処理の全部または一部を公知の方法で自動的に行うこともできる。
この他、上記文書中や図面中で示した処理手順、制御手順、具体的名称、各種の登録データや検索条件等のパラメータを含む情報、画面例、データベース構成については、特記する場合を除いて任意に変更することができる。
【００９０】
また、放送波記録再生機に関して、図示の各構成要素は機能概念的なものであり、必ずしも物理的に図示の如く構成されていることを要しない。
例えば、放送波記録再生機が備える処理機能、特にＣＰＵにて行なわれる各処理機能については、当該ＣＰＵにて解釈実行されるプログラムにて実現することができ、あるいは、ワイヤードロジックによるハードウェアとして実現することも可能である。なお、プログラムは、後述する記録媒体に記録されており、必要に応じて放送波記録再生機に機械的に読み取られる。
【００９１】
また、本発明にかかるプログラムを、コンピュータ読み取り可能な記録媒体に格納することもできる。ここで、この「記録媒体」とは、フレキシブル・ディスク、光磁気ディスク、ＲＯＭ、ＥＰＲＯＭ、ＥＥＰＲＯＭ、ＣＤ−ＲＯＭ、ＭＯ、ＤＶＤ等の任意の「可搬用の物理媒体」や、各種コンピュータ放送波記録再生機に内蔵されるＲＯＭ、ＲＡＭ、ＨＤ等の任意の「固定用の物理媒体」、あるいは、ＬＡＮ、ＷＡＮ、インターネットに代表されるネットワークを介してプログラムを送信する場合の通信回線や搬送波のように、短期にプログラムを保持する「通信媒体」を含むものとする。
【００９２】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【００９３】
また、放送波記録再生機は、既知のＨＤＤレコーダ、ＤＶＤレコーダ、Ｂｌｕレコーダ、アナログ・デジタルのＴＶ放送に対する録再機の他、パーソナルコンピュータ、ワークステーション等の情報処理端末等の情報処理装置にプリンタやモニタやイメージスキャナ等の周辺装置を接続し、該情報処理装置に本発明の方法を実現させるソフトウェア（プログラム、データ等を含む）を実装することにより実現してもよい。
【００９４】
さらに、放送波記録再生機等の分散・統合の具体的形態は明細書および図面に示すものに限られず、その全部または一部を、各種の負荷等に応じた任意の単位で、機能的または物理的に分散・統合して構成することができる（例えば、グリッド・コンピューティングなど）。
【図面の簡単な説明】
【００９５】
【図１】本発明が適用される放送波記録再生機の構成の一例を示すブロック図である。
【図２】ＣＭ開始ポイントの概念を示す図である。
【図３】ＣＭ終了ポイントの概念を示す図である。
【図４】タイムサーチ終了がＣＭ途中だった場合の概念を示す図である。
【図５】タイムサーチ終了がＣＭを超えていた場合の概念を示す図である。
【図６】放送波記録再生機に記憶されるＣＭ開始ポイントおよびＣＭ終了ポイント情報の概念を示す図である。
【図７】本実施形態における放送波記録再生機によるＣＭ検出処理の一例を示すフローチャートである。
【図８】本実施形態における放送波記録再生機のＣＭカット編集画面の一例を示す図である。
【図９】ＣＭバックキーの時間分ＣＭ開始ポイントをずらした場合の開始ポイントの設定の一例を示す概念図である。
【図１０】本実施形態における本放送波記録再生機の放送波記録再生機によるＣＭバックキーを考慮したＣＭ検出処理の一例を示すフローチャートである。
【図１１】本実施形態における放送波記録再生機のＣＭバックキーを考慮したＣＭ編集画面の一例を示す図である。
【符号の説明】
【００９６】
１  放送波受信部
２  ＣＰＵ
３  リモコン受信部
４  デコーダ制御部
５  出力制御部
６  ＧＵＩ制御部
７  タイマー制御部
８  記録・再生制御部
９  メモリ
１０  ＨＤＤ
１１  ディスクドライブ
【図１】
2007257716.tif 000003
【図２】
2007257716.tif 000004
【図３】
2007257716.tif 000005
【図４】
2007257716.tif 000006
【図５】
2007257716.tif 000007
【図６】
2007257716.tif 000008
【図７】
2007257716.tif 000009
【図８】
2007257716.tif 000010
【図９】
2007257716.tif 000011
【図１０】
2007257716.tif 000012
【図１１】
2007257716.tif 000013